(57)【要約】【課題】より使い勝手のよい二つ折り財布を提供すること。【解決手段】少なくとも札入れ部11と小銭入れ部17とを有する二つ折り財布10である。二つ折り状態の何れか一方の外表面12に手挿通部14を設け、他方の外表面13には小銭入れ部を設ける。手挿通部14の手挿通方向Dを札入れ部11の紙幣出し入れ方向と略直交する方向に設ける。小銭入れ部の貨幣の出入口を札入れ部11の出入口と同一方向に設ける。手挿通部14を伸縮自在のゴム製バンド部材から形成し、これを財布10の外表面12の一方端16部分に形成し、これにより手挿通部14を反転させて、二つ折り状態の財布10の両端部を束ねることもできる。【選択図】図１
0003150939.tif 000002
【実用新案登録請求の範囲】
【請求項１】
少なくとも札入れ部(11)と小銭入れ部(17)とを有する二つ折り財布において、
二つ折り状態の何れか一方の外表面(12)に手挿通部(14, 24)を設け、他方の外表面(13)には小銭入れ部(17)を設け、
手挿通部(14)の手挿通方向(D) を札入れ部(11)の紙幣出し入れ方向と略直交する方向に設け、
かつ、小銭入れ部(17)の貨幣の出し入れ方向を札入れ部(11)の紙幣の出し入れ方向と略同一になるように設けたことを特徴とする二つ折り財布。
【請求項２】
手挿通部(24)を伸縮自在のゴム製バンド部材から形成し、この手挿通部(24)を財布の外表面(12)の一方端(16)部分に形成し、これにより手挿通部(24)を反転させて、二つ折り状態の財布の両端部(16, 16)を束ねることができるようにしたことを特徴とする請求項１に記載の二つ折り財布。
【考案の詳細な説明】
【技術分野】
【０００１】
本考案は、二つ折りの財布の改良に関するものである。
【背景技術】
【０００２】
従来においては、種々の形態の財布にバンド部材が付加されたものが各種存在する。
このバンド部材が設けられた理由は、盗難防止や使用時の使い勝手の良さを向上させるためのものである。
下記特許文献に記載のバンド部材付きの財布においても、持ち運ぶ形態を変更してファッション性を高めたものであるが、上記機能をも併せ持つものである。
【先行技術文献】
【特許文献】
【０００３】
【特許文献１】実用新案登録第３１３６８３９号公報
【考案の概要】
【考案が解決しようとする課題】
【０００４】
本考案においては、上記従来のようなバンド付きの財布の改良に関するものであるが、取り分け二つ折りの財布の改良に関するものであり、その主要課題は使い勝手の向上である。
二つ折り財布においては、種々の機能が付加されたものが存在するが、札入れ部と小銭入れ部の２つの部分が必須の構成要素となっており、この二つ折り財布にバンド部材を付加することにより、これら札入れ部と小銭入れ部との使い勝手をより向上させることが本考案の課題である。
【課題を解決するための手段】
【０００５】
上記課題を解決するために、本考案の第１のものは、少なくとも札入れ部と小銭入れ部とを有する二つ折り財布において、二つ折り状態の何れか一方の外表面に手挿通部を設け、他方の外表面には小銭入れ部を設け、手挿通部の手挿通方向を札入れ部の紙幣出し入れ方向と略直交する方向に設け、かつ、小銭入れ部の貨幣の出入口を札入れ部の出入口と同一方向に設けたことを特徴とする二つ折り財布である。
【０００６】
本考案の第２のものは、上記第１の考案において、手挿通部を伸縮自在のゴム製バンド部材から形成し、この手挿通部を財布の外表面の一方端部分に形成し、これにより手挿通部を反転させて、二つ折り状態の財布の両端部を束ねることができるようにしたことを特徴とする二つ折り財布である。
【考案の効果】
【０００７】
本考案の第１のものにおいては、親指を上方にして手挿通部に手の４指を挿通させて、二つ折り財布を開放すると、自然と上方に札入れ部の出入口が上方に向けられ、紙幣の出し入れが容易にできる。
また、同様に手挿通部に手の４指を挿通させた状態で、二つ折り財布を折り畳んだ状態のままで、小銭入れ部の出入口が上方に向くこととなり、二つ折り状態のままで、小銭入れの出入口を開放して、貨幣の出し入れも簡単に行うことが出来る。
従って、手挿通部に手を挿通したままの状態で、いわば手の平に財布がくっついた状態のままを維持し、紙幣及び貨幣の出し入れが可能となり、財布を落とす心配も無くなるのである。
【０００８】
本考案の第２のものにおいては、上記第１の考案と同じ効果を発揮すると同時に、手挿通部を伸縮自在のゴム製バンド部材から形成したために、この手挿通部を二つ折りした財布の端部で、伸長反転させて、両端部を束ねることが出来るのである。
これにより、二つ折り財布内に、多くの紙幣や貨幣、カードや領収書等が収納されて膨らんだ状態となっていても、その両端部を手挿通部によって束ね、くくっておくことができ、両端部が不用意に開放してしまうことが無くなる。
【図面の簡単な説明】
【０００９】
【図１】本考案の実施形態に係る財布の手挿通部の側から見た全体斜視図である。
【図２】本考案の実施形態に係る財布の小銭入れ部の側から見た全体斜視図である。
【図３】本考案の他の実施形態に係る財布の斜視図であって、伸縮自在の手挿通部を反転させた状態を示している。
【考案を実施するための形態】
【００１０】
以下、添付の図面と共に本考案の実施形態について説明する。
図１は本考案の実施形態に係る財布の手挿通部の側から見た全体斜視図である。
図２は本考案の実施形態に係る財布の小銭入れ部の側から見た全体斜視図である。
これら両図に基づき説明するが、本考案の実施形態に係る二つ折り財布１０は、皮製のもので、紙幣が収納される札入れ部１１が、その二つ折りされる内側に設けられており、従来のものと同様にその紙幣の出入口は、図中上部に配置され、上下方向に紙幣を出し入れすることができる。
【００１１】
二つ折りされた財布１０の一方の外表面１２には、その折り畳み部１５に近接した部位に手挿通部１４が形成されている。
この手挿通部１４は、同じ皮製の帯状体の上下の両端部を縫製して、その内部に親指を除く手の４指が挿通できるように構成している。
【００１２】
従って、この手挿通部１４に手が矢印Ｄの方向に挿通されるのである。即ち、この手の挿通方向は、札入れ部１１の紙幣挿入方向である上下方向と直交する方向の略水平方向となる。
この手の挿通方向Ｄは、紙幣の出し入れ方向と正確に直交していなくてもよく、手が斜め下方に挿通するような方向であってもよい。
【００１３】
また、この手挿通部を設ける位置であるが、図１に図示した通り、一方の外表面１２の折り畳み部１５に近接した部位ばかりでなく、外表面１２の端部１６側に配置させてもよく、更には、反対側の外表面１３の側に設けることも出来る。
反対側の外表面１３の側に手挿通部を形成したときには、後に説明する小銭入れ部は外表面１２の側に設ける必要がある。
【００１４】
次に、小銭入れ部１７は、図２に図示した通り、手挿通部１４が設けられた財布１０の外表面１２と反対側の外表面１３に設けられるのである。
そして、この小銭入れ部１７の蓋部１８が上方に設けられ、つまり小銭の出入口は上方に設けられ、貨幣の出し入れ方向は上下方向となり、札入れ部１１の紙幣出し入れ方向と同じである。
蓋部１８の留め具１９の形態はどのようなものでもよく、この実施形態では留めホックを採用している。望ましくは、蓋部１８の縁部の全体が小銭入れ部の表面側に接合するタイプのものがよい。
【００１５】
以上の構成により、手挿通部１４に使用者の手の親指を上にして、他の４指を挿通させることにより、図２の状態となり、この状態で札入れ部１１及び小銭入れ部１７の出入り口が上方に向き、その状態で、紙幣及び貨幣をそれらの収納部から出し入れすることができるのである。
この際、財布１０は、手のひらにくっついた状態を維持するために、財布を落としてしまう恐れが全く無いのである。
【００１６】
図３は、本考案の他の実施形態に係る財布の斜視図であって、伸縮自在の手挿通部２４を反転させた状態を示すものである。
この実施形態においては、手挿通部２４が、財布１０の一方の外表面１２の端部１６側に配置されている。
従って、この実施形態では、前記の実施形態のように、手のひらが外表面１０に接合することはなく、手の４指が財布の外表面１２に接合する状態となる。
【００１７】
また、この実施形態においては、手挿通部２４として、伸縮自在のゴム製バンド部材を使用しているために、財布１０を使用していないときには、図３に示した通り、手挿通部２４を財布１０の反対側の外表面１３の側に反転させて、財布１０の両端部１６、１６を束ねておくことができるのである。
その他の構成、即ち、札入れ部１１及び図には現れていない小銭入れ部の構成は、上記実施形態と同じである。
財布の内部に多くの紙幣、貨幣、カード及び領収書等が収納されているときには、財布１０が膨らんで、その両端部１６、１６が自然と拡開してしまうが、この手挿通部２４はこれを防止して、財布１０の両端部１６、１６を収束しておくことができるのである。
【００１８】
以上の通り、本考案の実施形態について説明したが、本考案においては以下の通り、種々設計変更可能である。
手挿通部の材質、大きさ、その取付け位置は、自由に設計変更することができる。
要するに、この手挿通部は、二つ折り財布を折り畳んだ状態の一方の外表面において、その手挿通方向を札入れ部の紙幣出し入れ方向とほぼ直交する方向に設けられてあればよいのものである。
また、その直交する方向も正確に直交するものでなくともよく、挿通される手の指先が少し下方向に向いたものであってもよい。
【００１９】
手挿通部と反対側の財布の外表面に設けられる小銭入れ部の形態、大きさ等も全く自由に設計することができ、要するに、小銭入れ部を手挿通部と反対側の財布の外表面に設け、その貨幣出入口が札入れ部の出入口と同一方向に、つまり紙幣出し入れ方向と貨幣出し入れ方向を同一に設けていればよいのである。
小銭入れ部の蓋部の閉鎖構造も全く自由に設計することができる。
以上、本考案は、簡易な構成にして、極めて便利な二つ折り財布を提供することができたものである。
【符号の説明】
【００２０】
１０  二つ折り財布
１１  札入れ部
１２、１３  外表面
１４、２４  手挿通部
１７  小銭入れ部
１８  蓋部
【図１】
0003150939.tif 000003
【図２】
0003150939.tif 000004
【図３】
0003150939.tif 000005